(57)【要約】【課題】排気スロットルバルブの開度を絞る制御中に、エンジンの排気流路における排ガスの温度および圧力の異常上昇を防止することができる制御装置を提供する。【解決手段】エンジンの排気流路に配置されるＤＯＣおよびＤＰＦと、ＤＯＣおよびＤＰＦを昇温するための排気スロットルバルブを含む昇温手段と、を備えるエンジンにおいて、強制再生処理を実行可能な制御装置であって、強制再生処理は、ＤＯＣが第１温度まで昇温するように昇温手段を制御する第１昇温処理と、第１昇温処理の完了後にＤＰＦが第１温度よりも高い第２温度まで昇温するように昇温手段を制御する第２昇温処理と、を含み、制御装置は、第１昇温処理から第２昇温処理に切り換えるときに、排気スロットルバルブの開度を所定開度よりも所定時間だけ大きくするバルブ開閉動作を排気スロットルバルブに実行させるように構成されているバルブ開閉動作実行部と、を備える。【選択図】  図６
2020041461.tif 000002
【特許請求の範囲】
【請求項１】
エンジンの排気流路に配置されるＤＯＣと、前記排気流路の前記ＤＯＣの下流側に配置されるＤＰＦと、前記ＤＯＣおよび前記ＤＰＦを昇温するための昇温手段と、を備えるエンジンにおいて、前記ＤＰＦを昇温することで前記ＤＰＦに堆積するＰＭを除去する強制再生処理を実行可能に構成されている制御装置であって、
前記強制再生処理は、前記ＤＯＣが第１温度まで昇温するように前記昇温手段を制御する第１昇温処理と、前記第１昇温処理の完了後に前記ＤＰＦが前記第１温度よりも高い第２温度まで昇温するように前記昇温手段を制御する第２昇温処理と、を含み、
前記昇温手段は、前記排気流路に設けられた排気スロットルバルブを含み、
前記制御装置は、
前記第１昇温処理から前記第２昇温処理に切り換えるときに、前記排気スロットルバルブの開度を所定開度よりも所定時間だけ大きくするバルブ開閉動作を前記排気スロットルバルブに実行させるように構成されているバルブ開閉動作実行部を備える
制御装置。
【請求項２】
前記バルブ開閉動作実行部は、前記バルブ開閉動作の実行時における前記排気スロットルバルブを開く速度又は閉じる速度の少なくとも一方が所定速度以下になるように前記排気スロットルバルブに指示するように構成されている
請求項１に記載の制御装置。
【請求項３】
前記バルブ開閉動作実行部は、前記バルブ開閉動作の実行時における前記排気スロットルバルブの開度として、全開よりも小さい開度を、前記排気スロットルバルブに指示するように構成されている
請求項１又は２に記載の制御装置。
【請求項４】
前記バルブ開閉動作実行部は、前記第２昇温処理におけるレイトポスト噴射よりも前に、前記バルブ開閉動作を前記排気スロットルバルブに実行させるように構成されている
請求項１乃至３の何れか１項に記載の制御装置。
【請求項５】
前記エンジンの運転状況に関する情報に基づいて、前記排気スロットルバルブの開度であるフィードフォワード開度を取得可能に構成されているフィードフォワード開度取得部と、
予め設定された目標温度と、前記排気流路を流れる排ガスの温度を検出可能な排ガス温度検出装置により取得した検出温度との差分、に基づいて、前記排気スロットルバルブの開度であるフィードバック開度を取得可能に構成されているフィードバック開度取得部と、
前記フィードフォワード開度取得部で取得した前記フィードフォワード開度、および前記フィードバック開度取得部で取得した前記フィードバック開度のうちの、開度が大きい方を前記排気スロットルバルブに指示するための指示開度とする指示開度決定部と、をさらに備える
請求項１乃至４の何れか１項に記載の制御装置。
【請求項６】
前記フィードバック開度を算出する際の制御ゲインを調整可能に構成されている制御ゲイン調整部をさらに備え、
前記制御ゲイン調整部は、前記検出温度が前記目標温度を超過し、且つ、前記フィードバック開度が前記フィードフォワード開度以下の場合において、再度算出された前記フィードバック開度が前記フィードフォワード開度よりも大きくなるように前記制御ゲインを調整するように構成されている
請求項５に記載の制御装置。
【請求項７】
前記フィードバック開度を算出する際の制御ゲインを調整可能に構成されている制御ゲイン調整部をさらに備え、
前記制御ゲイン調整部は、前記検出温度が前記目標温度以下、且つ、前記フィードフォワード開度が前記フィードバック開度以下の場合において、再度算出された前記フィードバック開度が前記フィードフォワード開度よりも小さくなるように前記制御ゲインを調整するように構成されている
請求項５又は６に記載の制御装置。
【請求項８】
前記エンジンの運転状況に関する情報は、前記エンジンの回転数および燃料噴射量を含む
請求項５乃至７の何れか１項に記載の制御装置。
【請求項９】
請求項１乃至８の何れか１項に記載の制御装置と、
前記ＤＯＣと、
前記ＤＰＦと、
前記排気スロットルバルブを含む前記昇温手段と、を備える
排ガス浄化システム。
【請求項１０】
エンジンの排気流路に配置されるＤＯＣと、前記排気流路の前記ＤＯＣの下流側に配置されるＤＰＦと、前記ＤＯＣおよび前記ＤＰＦを昇温するための昇温手段と、を備えるエンジンにおいて、前記ＤＰＦを昇温することで前記ＤＰＦに堆積するＰＭを除去する強制再生処理を実行するエンジンの制御方法であって、
前記強制再生処理は、前記ＤＯＣが第１温度まで昇温するように前記昇温手段を制御する第１昇温処理と、前記第１昇温処理の完了後に前記ＤＰＦが前記第１温度よりも高い第２温度まで昇温するように前記昇温手段を制御する第２昇温処理と、を含み、
前記昇温手段は、前記排気流路に設けられた排気スロットルバルブを含み、
前記エンジンの制御方法は、
前記第１昇温処理から前記第２昇温処理に切り換えるときに、前記排気スロットルバルブの開度を所定開度よりも所定時間だけ大きくするバルブ開閉動作を実行するステップを備える
エンジンの制御方法。
【請求項１１】
前記エンジンの運転状況に関する情報に基づいて、前記排気スロットルバルブの開度であるフィードフォワード開度を取得するフィードフォワード開度取得ステップと、
予め設定された目標温度と、前記排気流路を流れる排ガスの温度を検出可能な排ガス温度検出装置により取得した検出温度との差分、に基づいて、前記排気スロットルバルブの開度であるフィードバック開度を取得するフィードバック開度取得ステップと、
前記フィードフォワード開度取得ステップで取得した前記フィードフォワード開度、および前記フィードバック開度取得ステップで取得した前記フィードバック開度のうちの、開度が大きい方を前記排気スロットルバルブに指示するための指示開度とする指示開度決定ステップと、をさらに備える
請求項１０に記載のエンジンの制御方法。
【発明の詳細な説明】
【技術分野】
【０００１】
本開示は、排気流路にＤＯＣおよびＤＰＦを備えるエンジンにおいて、ＤＰＦを昇温することでＤＰＦに堆積するＰＭを除去する強制再生処理を実行するための制御装置、該制御装置を備える排ガス浄化システムおよびエンジンの制御方法に関する。
【背景技術】
【０００２】
エンジン（ディーゼルエンジン）には、エンジンの排気流路に配置されるＤＯＣ（ディーゼル酸化触媒）と、排気流路のＤＯＣの下流側に配置されて排ガス中に含まれるススなどのＰＭ（粒子状物質）を捕集するＤＰＦ（ディーゼルパティキュレートフィルタ）と、を含む排ガス浄化装置が搭載されるものがある（特許文献１、２参照）。
【０００３】
ＤＰＦに捕集されたＰＭが蓄積してＤＰＦが目詰まりすると、ＰＭ捕集能力が低下したり排圧（排気流路の圧力）が上昇して燃費が悪化したりする虞があるため、ＰＭ堆積量が規定量に達するか、又は、エンジン運転時間が一定時間を経過する毎に、ＤＰＦに堆積したＰＭを除去する強制再生が行われる。
【０００４】
ＤＰＦの強制再生（自動再生）は、ＤＰＦの入口温度を強制的に昇温することで行われる。ＤＰＦ入口温度の強制昇温は、一般的にＤＯＣの入口温度をＤＯＣが活性を有する所定温度（２５０℃程度）まで昇温した後に、メイン燃焼噴射時期より遅れて燃料を噴射するレイトポスト噴射によって排ガス処理装置に未燃燃料を供給し、該未燃燃料をＤＯＣ（ディーゼル酸化触媒）で酸化発熱させることで行われる。
【０００５】
ＤＯＣの入口温度を上記所定温度まで昇温させるために、エンジンの吸気流路に設けられる吸気スロットルバルブの開度を絞る（小さくする）ことや、メイン燃焼噴射時期よりも後、且つ、レイトポスト噴射時期よりも前に行われるアーリーポスト噴射における未燃燃料の噴射量や噴射タイミングを調整することが広く行われている。なお、エンジンの排気流路に設けられる排気スロットルバルブの開度を絞ることで、ＤＯＣの入口温度を上記所定温度まで昇温させることができるが、従来はあまり採用されていなかった。
【先行技術文献】
【特許文献】
【０００６】
【特許文献１】特開２００３−２０６７２４号公報
【特許文献２】特開２００４−３５３５２９号公報
【発明の概要】
【発明が解決しようとする課題】
【０００７】
排気スロットルバルブの開度を絞るという昇温手法が採用されていない理由としては以下の問題が挙げられる。吸気スロットルバルブは、エンジンに空気（燃焼用気体）を送るための吸気流路に設けられるので、使用環境が安定している。これに対して、排気スロットルバルブは、エンジンから排出される排ガスを流すための排気流路に設けられるので、使用環境が不安定であるという問題がある。より具体的には、エンジンから排出された排ガス中に含まれるＰＭ（粒子状物質）および未燃燃料（ＨＣ）などによる排気スロットルバルブの固着による作動不良や応答性の低下が問題となる。例えば、固着による作動不良によって排気スロットルバルブの実開度が、制御装置の指示する指示開度よりも小さくなると、排気スロットルバルブが想定以上に絞られるので、エンジンに供給される空気量およびエンジンから排出される排ガス量が減少し、排気流路を流れる排ガスが高温高圧となる虞がある。また、排気スロットルバルブが想定以上に絞られるので、燃焼室内に残留する残留燃料の異常燃焼によっても、排気流路を流れる排ガスが高温高圧となる虞がある。そして、排気流路を流れる排ガスが想定以上に高温になると、エンジンの故障およびＤＯＣの酸化触媒の熱劣化を招く虞がある。
【０００８】
上述した事情に鑑みて、本発明の少なくとも一実施形態の目的は、排気スロットルバルブの開度を絞る制御中に、エンジンの排気流路における排ガスの温度および圧力の異常上昇を防止することができる制御装置を提供することにある。
【課題を解決するための手段】
【０００９】
（１）本発明の少なくとも一実施形態にかかる制御装置は、
エンジンの排気流路に配置されるＤＯＣと、上記排気流路の上記ＤＯＣの下流側に配置されるＤＰＦと、上記ＤＯＣおよび上記ＤＰＦを昇温するための昇温手段と、を備えるエンジンにおいて、上記ＤＰＦを昇温することで上記ＤＰＦに堆積するＰＭを除去する強制再生処理を実行可能に構成されている制御装置であって、
上記強制再生処理は、上記ＤＯＣが第１温度まで昇温するように上記昇温手段を制御する第１昇温処理と、上記第１昇温処理の完了後に上記ＤＰＦが上記第１温度よりも高い第２温度まで昇温するように上記昇温手段を制御する第２昇温処理と、を含み、
上記昇温手段は、上記排気流路に設けられた排気スロットルバルブを含み、
上記制御装置は、
上記第１昇温処理から上記第２昇温処理に切り換えるときに、上記排気スロットルバルブの開度を所定開度よりも所定時間だけ大きくするバルブ開閉動作を上記排気スロットルバルブに実行させるように構成されているバルブ開閉動作実行部を備える。
【００１０】
上記（１）の構成によれば、制御装置は、第１昇温処理から第２昇温処理に切り換えるときに、排気スロットルバルブの開度を所定開度よりも所定時間だけ大きくするバルブ開閉動作を排気スロットルバルブに実行させる。排気スロットルバルブは、上記バルブ開閉動作を実行することで、排気スロットルバルブに堆積したＰＭおよび未燃燃料を、排気流路の排気スロットルバルブよりも下流側に流すことができる。排気スロットルバルブに堆積したＰＭおよび未燃燃料を削減することで、第２昇温処理中における排気スロットルバルブの固着による作動不良を防止することができる。つまり、排気スロットルバルブの実開度が、制御装置の指示する指示開度よりも小さくなることを防止することができる。このため、排気スロットルバルブの実開度が制御装置の指示する指示開度と等しくなるので、第２昇温処理中における、排気流路の排気スロットルバルブよりも下流側を流れる排ガスの流量を適切な量にすることができる。よって、上記の構成によれば、排気スロットルバルブの開度を絞る制御中に、エンジンの排気流路における排ガスの温度および圧力の異常上昇を防止することができ、ひいてはエンジンの故障およびＤＯＣの酸化触媒の熱劣化を防止することができる。
【００１１】
（２）幾つかの実施形態では、上記（１）に記載の制御装置において、上記バルブ開閉動作実行部は、上記バルブ開閉動作の実行時における上記排気スロットルバルブを開く速度又は閉じる速度の少なくとも一方が所定速度以下になるように上記排気スロットルバルブに指示するように構成されている。
【００１２】
バルブ開閉動作の実行時における排気スロットルバルブを開く速度および閉じる速度が所定速度を超過する場合には、排気流路の排気スロットルバルブよりも下流側を流れる排ガスの量が急激に増減するので、気流音（騒音）が発生する可能性が高い。上記（２）の構成によれば、バルブ開閉動作の実行時における排気スロットルバルブを開く速度又は閉じる速度の少なくとも一方が所定速度以下になるので、気流音の発生を抑制することができる。
【００１３】
（３）幾つかの実施形態では、上記（１）又は（２）に記載の制御装置において、上記バルブ開閉動作実行部は、上記バルブ開閉動作の実行時における上記排気スロットルバルブの開度として、全開よりも小さい開度を、上記排気スロットルバルブに指示するように構成されている。
【００１４】
バルブ開閉動作の実行時における排気スロットルバルブの開度を全開とすると、排気流路の排気スロットルバルブよりも下流側を流れる排ガスの量が急激に触れるので、排ガス浄化装置により浄化されていない排ガスが大気中に放出される虞がある。上記（３）の構成によれば、バルブ開閉動作の実行時における排気スロットルバルブの開度を全開よりも小さい開度とすることで、排ガス浄化装置により浄化されていない排ガスが大気中に放出されるのを抑制することができる。
【００１５】
（４）幾つかの実施形態では、上記（１）〜（３）の何れかに記載の制御装置において、上記バルブ開閉動作実行部は、上記第２昇温処理におけるレイトポスト噴射よりも前に、上記バルブ開閉動作を上記排気スロットルバルブに実行させるように構成されている。
【００１６】
レイトポスト噴射の実行中は、開度が小さくなった排気スロットルバルブを未燃燃料が通過するので、排気スロットルバルブの固着による作動不良が起こり易い。上記（４）の構成によれば、第２昇温処理におけるレイトポスト噴射よりも前に、上記バルブ開閉動作を実行して排気スロットルバルブに堆積したＰＭおよび未燃燃料を削減することで、レイトポスト噴射中における排気スロットルバルブの固着による作動不良を防止することができる。
【００１７】
（５）幾つかの実施形態では、上記（１）〜（４）の何れかに記載の制御装置は、上記エンジンの運転状況に関する情報に基づいて、上記排気スロットルバルブの開度であるフィードフォワード開度を取得可能に構成されているフィードフォワード開度取得部と、予め設定された目標温度と、上記排気流路を流れる排ガスの温度を検出可能な排ガス温度検出装置により取得した検出温度との差分、に基づいて、上記排気スロットルバルブの開度であるフィードバック開度を取得可能に構成されているフィードバック開度取得部と、上記フィードフォワード開度取得部で取得した上記フィードフォワード開度、および上記フィードバック開度取得部で取得した上記フィードバック開度のうちの、開度が大きい方を上記排気スロットルバルブに指示するための指示開度とする指示開度決定部と、をさらに備える。
【００１８】
上記の構成によれば、上記フィードフォワード開度および上記フィードバック開度のうちの、開度が大きい方を排気スロットルバルブの指示開度とすることで、エンジンに供給される空気量およびエンジンから排出される排ガス量が不足することを防止することができ、且つ、排気流路を流れる排ガスが目標温度を超える高温になることを抑制することができる。よって、上記の構成によれば、排気スロットルバルブの開度を絞る制御中に、エンジンの排気流路における排ガスの温度および圧力の異常上昇を防止することができ、ひいてはエンジンの故障およびＤＯＣの酸化触媒の熱劣化を防止することができる。
【００１９】
（６）幾つかの実施形態では、上記（５）に記載の制御装置は、上記フィードバック開度を算出する際の制御ゲインを調整可能に構成されている制御ゲイン調整部をさらに備え、上記制御ゲイン調整部は、上記検出温度が上記目標温度を超過し、且つ、上記フィードバック開度が上記フィードフォワード開度以下の場合において、再度算出された上記フィードバック開度が上記フィードフォワード開度よりも大きくなるように上記制御ゲインを調整するように構成されている。
【００２０】
上記（６）の構成によれば、検出温度が目標温度を超過した場合には、フィードバック開度を排気スロットルバルブの指示開度とするようになっている。この際に、フィードバック開度がフィードフォワード開度以下の場合には、再度算出されたフィードバック開度がフィードフォワード開度よりも大きくなるように、制御ゲイン調整部が制御ゲインを調整する。上記の構成によれば、検出温度が目標温度を超過した場合に、上記再度算出されたフィードバック開度を排気スロットルバルブの指示開度として開度の制御が行われる。このため、検出温度が目標温度に近づくように、排気スロットルバルブの開度を大きくし、排気流路を流れる排ガスの温度および圧力が下げる制御が迅速に行われるので、排気流路を流れる排ガスが目標温度を超える高温になる期間を少なくすることができる。
【００２１】
（７）幾つかの実施形態では、上記（５）又は（６）に記載の制御装置は、上記フィードバック開度を算出する際の制御ゲインを調整可能に構成されている制御ゲイン調整部をさらに備え、上記制御ゲイン調整部は、上記検出温度が上記目標温度以下、且つ、上記フィードフォワード開度が上記フィードバック開度以下の場合において、再度算出された上記フィードバック開度が上記フィードフォワード開度よりも小さくなるように上記制御ゲインを調整するように構成されている。
【００２２】
上記（７）の構成によれば、検出温度が目標温度以下の場合には、フィードフォワード開度を排気スロットルバルブの指示開度とするようになっている。この際に、フィードフォワード開度がフィードバック開度以下の場合には、再度算出されたフィードバック開度がフィードフォワード開度よりも小さくなるように、制御ゲイン調整部が制御ゲインを調整する。上記の構成によれば、検出温度が目標温度以下の場合に、フィードフォワード開度を排気スロットルバルブの指示開度として開度の制御が行われる。このため、エンジンの運転状況に関する情報に基づいて排気スロットルバルブの開度が制御されるので、エンジンに供給される空気量およびエンジンから排出される排ガス量が不足することを防止することができる。
【００２３】
（８）幾つかの実施形態では、上記（５）〜（７）の何れかに記載の制御装置において、上記エンジンの運転状況に関する情報は、上記エンジンの回転数および燃料噴射量を含む。
【００２４】
上記（８）の構成によれば、エンジンの運転状況に関する情報は、エンジンの回転数および燃料噴射量を含んでいるので、フィードフォワード開度取得部は、エンジンの回転数および燃料噴射量を反映した適切なフィードフォワード開度を取得することができる。
【００２５】
（９）本発明の少なくとも一実施形態にかかる排ガス浄化システムは、上記（１）〜（８）の何れかに記載の制御装置と、上記ＤＯＣと、上記ＤＰＦと、上記排気スロットルバルブを含む上記昇温手段と、を備える。
【００２６】
上記（９）の構成によれば、排ガス浄化システムは、第１昇温処理から第２昇温処理に切り換えるときに、制御装置がバルブ開閉動作を排気スロットルバルブに実行させることで、第２昇温処理中における排気スロットルバルブの固着による作動不良を防止することができる。
【００２７】
（１０）本発明の少なくとも一実施形態にかかるエンジンの制御方法は、
エンジンの排気流路に配置されるＤＯＣと、上記排気流路の上記ＤＯＣの下流側に配置されるＤＰＦと、上記ＤＯＣおよび上記ＤＰＦを昇温するための昇温手段と、を備えるエンジンにおいて、上記ＤＰＦを昇温することで上記ＤＰＦに堆積するＰＭを除去する強制再生処理を実行するエンジンの制御方法であって、
上記強制再生処理は、上記ＤＯＣが第１温度まで昇温するように上記昇温手段を制御する第１昇温処理と、上記第１昇温処理の完了後に上記ＤＰＦが上記第１温度よりも高い第２温度まで昇温するように上記昇温手段を制御する第２昇温処理と、を含み、
上記昇温手段は、上記排気流路に設けられた排気スロットルバルブを含み、
上記エンジンの制御方法は、
上記第１昇温処理から上記第２昇温処理に切り換えるときに、上記排気スロットルバルブの開度を所定開度よりも所定時間だけ大きくするバルブ開閉動作を実行するステップを備える。
【００２８】
上記（１０）の方法によれば、エンジンの制御方法は、第１昇温処理から第２昇温処理に切り換えるときに、排気スロットルバルブの開度を所定開度よりも所定時間だけ大きくするバルブ開閉動作を実行するステップを備える。排気スロットルバルブは、上記バルブ開閉動作を実行することで、排気スロットルバルブに堆積したＰＭおよび未燃燃料を、排気流路の排気スロットルバルブよりも下流側に流すことができる。排気スロットルバルブに堆積したＰＭおよび未燃燃料を削減することで、第２昇温処理中における排気スロットルバルブの固着による作動不良を防止することができる。つまり、排気スロットルバルブの実開度が、制御装置の指示する指示開度よりも小さくなることを防止することができる。このため、排気スロットルバルブの実開度が制御装置の指示する指示開度と等しくなるので、第２昇温処理中における、排気流路の排気スロットルバルブよりも下流側を流れる排ガスの流量を適切な量にすることができる。よって、上記の方法によれば、排気スロットルバルブの開度を絞る制御中に、エンジンの排気流路における排ガスの温度および圧力の異常上昇を防止することができ、ひいてはエンジンの故障およびＤＯＣの酸化触媒の熱劣化を防止することができる。
【００２９】
（１１）幾つかの実施形態では、上記（１０）に記載のエンジンの制御方法は、上記エンジンの運転状況に関する情報に基づいて、上記排気スロットルバルブの開度であるフィードフォワード開度を取得するフィードフォワード開度取得ステップと、予め設定された目標温度と、上記排気流路を流れる排ガスの温度を検出可能な排ガス温度検出装置により取得した検出温度との差分、に基づいて、上記排気スロットルバルブの開度であるフィードバック開度を取得するフィードバック開度取得ステップと、上記フィードフォワード開度取得ステップで取得した上記フィードフォワード開度、および上記フィードバック開度取得ステップで取得した上記フィードバック開度のうちの、開度が大きい方を上記排気スロットルバルブに指示するための指示開度とする指示開度決定ステップと、をさらに備える。
【００３０】
上記（１１）の方法によれば、エンジンの制御方法は、エンジンの運転状況に関する情報に基づいて取得されるフィードフォワード開度、および予め設定された目標温度と排気流路を流れる排ガスの検出温度との差分に基づいて取得されるフィードバック開度のうちの、開度が大きい方を排気スロットルバルブの指示開度とすることで、エンジンに供給される空気量およびエンジンから排出される排ガス量が不足することを防止することができ、且つ、排気流路を流れる排ガスが目標温度を超える高温になることを抑制することができる。よって、上記の方法によれば、排気スロットルバルブの開度を絞る制御中に、エンジンの排気流路における排ガスの温度および圧力の異常上昇を防止することができ、ひいてはエンジンの故障およびＤＯＣの酸化触媒の熱劣化を防止することができる。
【発明の効果】
【００３１】
本発明の少なくとも一実施形態によれば、排気スロットルバルブの開度を絞る制御中に、エンジンの排気流路における排ガスの温度および圧力の異常上昇を防止することができる制御装置が提供される。
【図面の簡単な説明】
【００３２】
【図１】本発明の第１の実施形態および第２の実施形態にかかる制御装置を備えるエンジンの全体構成の一例を概略的に示す概略構成図である。
【図２】本発明の第１の実施形態にかかる制御装置の一例を示すブロック図である。
【図３Ａ】第１制御マップのデータフロー図である。
【図３Ｂ】第２制御マップのデータフロー図である。
【図４】本発明の第１の実施形態にかかるエンジンの制御方法のフロー図である。
【図５】自動再生処理中のＤＰＦ入出口温度およびＤＯＣ入出口温度の温度変化を示したグラフである。
【図６】排気スロットルバルブによるバルブ開閉動作を説明するためのグラフであって、経過時間と排気スロットルバルブの開度との関係を示すグラフである。
【図７】アーリーポスト噴射とレイトポスト噴射を説明するための図である。
【図８】本発明の第２の実施形態にかかる制御装置の一例を示すブロック図である。
【図９】制御装置における排気スロットルバルブの指示開度の決定方法を説明するためのデータフロー図である。
【図１０】本発明の第２の実施形態にかかるエンジンの制御方法の一例を示すフロー図である。
【図１１】本発明の第２の実施形態にかかるエンジンの制御方法の他の一例を示すフロー図である。
【図１２】本発明の第２の実施形態における排気スロットルバルブの開度を説明するための線図である。
【発明を実施するための形態】
【００３３】
以下、添付図面を参照して本発明の幾つかの実施形態について説明する。ただし、実施形態として記載されている又は図面に示されている構成部品の寸法、材質、形状、その相対的配置等は、本発明の範囲をこれに限定する趣旨ではなく、単なる説明例にすぎない。
例えば、「ある方向に」、「ある方向に沿って」、「平行」、「直交」、「中心」、「同心」或いは「同軸」等の相対的或いは絶対的な配置を表す表現は、厳密にそのような配置を表すのみならず、公差、若しくは、同じ機能が得られる程度の角度や距離をもって相対的に変位している状態も表すものとする。
例えば、「同一」、「等しい」及び「均質」等の物事が等しい状態であることを表す表現は、厳密に等しい状態を表すのみならず、公差、若しくは、同じ機能が得られる程度の差が存在している状態も表すものとする。
例えば、四角形状や円筒形状等の形状を表す表現は、幾何学的に厳密な意味での四角形状や円筒形状等の形状を表すのみならず、同じ効果が得られる範囲で、凹凸部や面取り部等を含む形状も表すものとする。
一方、一の構成要素を「備える」、「具える」、「具備する」、「含む」、又は、「有する」という表現は、他の構成要素の存在を除外する排他的な表現ではない。
なお、同様の構成については同じ符号を付し説明を省略することがある。
【００３４】
図１は、本発明の第１の実施形態および第２の実施形態にかかる制御装置を備えるエンジンの全体構成の一例を概略的に示す概略構成図である。
図１に示されるように、排ガス浄化装置５は、ＤＯＣ５１とＤＰＦ５２とを有している。制御装置３は、エンジン１の排気流路１５に設けられる排ガス浄化装置５の再生（回復）を、後述する昇温手段６を制御することにより実行するものである。
【００３５】
最初に、制御装置３を備えるエンジン１（ディーゼルエンジン）について説明する。図１に示される実施形態では、図１に示されるように、エンジン１は、上述した制御装置３と、上述した排ガス浄化装置５と、シリンダヘッド及びシリンダブロックにより画定される燃焼室１２を有するエンジン本体１１と、燃焼室１２に未燃燃料を噴射するための燃料噴射弁１３と、エンジン１の吸気流路１４と、エンジン１の排気流路１５と、エンジン１の吸気流路１４又は排気流路１５に設けられるスロットルバルブ２と、を主に備えている。
【００３６】
エンジン本体１１には、吸気流路１４と排気流路１５とが接続されている。エンジン１の吸気流路１４は、エンジン１の外部の空気（燃焼用気体）を燃焼室１２に送るための流路である。エンジン１の排気流路１５は、燃焼室１２から排出された排ガスをエンジン１の外部に排出するための流路である。
【００３７】
燃料噴射弁１３は、図１に示されるように、未燃燃料（高圧燃料）が蓄圧された不図示のコモンレールに接続されているとともに、上記未燃燃料を噴射可能に構成されている。そして、燃料噴射弁１３は、制御装置３により未燃燃料の噴射タイミングおよび未燃燃料噴射量が制御されるように構成されている。図示される実施形態では、燃料噴射弁１３はエンジン本体１１に取り付けられており、燃焼室１２に未燃燃料を噴射可能に構成されている。他の実施形態では、燃料噴射弁１３は、吸気流路１４の燃焼室１２近傍に取り付けられており、吸気流路１４に未燃燃料を噴射可能に構成されている。
【００３８】
通常運転中に実行されるメイン噴射時において、燃料噴射弁１３から燃焼室１２又は吸気流路１４に噴射された未燃燃料は、吸気流路１４を介して燃焼室１２に送られる空気（燃焼用気体）に混合された後に、燃焼室１２内で燃焼する。燃焼室１２で燃焼後の排ガスは、排気流路１５を通り、エンジン１の外部に排出される。
【００３９】
スロットルバルブ２は、図１に示されるような、吸気流路１４に設けられる吸気スロットルバルブ２１と、排気流路１５に設けられる排気スロットルバルブ２２と、を含む。図示されている実施形態では、エンジン１は、吸気スロットルバルブ２１および排気スロットルバルブ２２の両方を備えている。他の実施形態では、エンジン１は、吸気スロットルバルブ２１および排気スロットルバルブ２２のうちの、排気スロットルバルブ２２のみを備えている。
【００４０】
吸気スロットルバルブ２１および排気スロットルバルブ２２の夫々は、制御装置３から送られる信号に応じて作動する不図示のモータおよびアクチュエータを有し、制御装置３が指示する指示開度（指示開度Ｉ、第２指示開度Ｈ）に応じた開度に変更可能に構成されている。吸気スロットルバルブ２１は、制御装置３が指示する指示開度（指示開度Ｉ、第２指示開度Ｈ）に応じた開度にすることで、燃焼室１２に送られる空気（燃焼用気体）の流量を調整可能である。排気スロットルバルブ２２は、制御装置３が指示する指示開度（指示開度Ｉ、第２指示開度Ｈ）に応じた開度にすることで、排気流路１５の排気スロットルバルブ２２よりも下流側を流れる排ガスの流量を調整可能である。
【００４１】
上述した排ガス浄化装置５は、図１に示されるように、エンジン本体１１から排出された排ガスを浄化するための装置であって、排気流路１５に配置される上述したＤＯＣ５１（ディーゼル酸化触媒）と、排気流路１５のＤＯＣ５１よりも下流側に配置される上述したＤＰＦ５２（ディーゼルパティキュレートフィルタ）と、を含んでいる。ＤＰＦ５２は、エンジン本体１１から排出された排ガス中に含まれるスス等のＰＭ（粒子状物質）を捕集可能に構成されている。図示される実施形態では、ＤＯＣ５１は、排気流路１５の排気スロットルバルブ２２よりも下流側に配置されている。
【００４２】
ＤＯＣ５１は、ハニカム状に多数の通気孔を有するとともに、外形が円筒形状又は直方体状に成形して構成されているセラミックや金属等の本体と、本体の内側表面に担持された酸化触媒と、を含んでいる。ＤＯＣ５１は、酸化触媒により酸化反応を促進させることで、ＤＯＣ５１を通過する排ガス中の未燃燃料（ＨＣ）や一酸化炭素（ＣＯ）を酸化除去するとともに、排ガス中の一酸化窒素（ＮＯ）を酸化してＤＰＦ５２に捕集されたＰＭとの反応によりＰＭを燃焼除去できる二酸化窒素（ＮＯ２）を生成する機能を有している。また、ＤＯＣ５１は、ＤＰＦの強制再生時において、排ガス中に含まれる未燃燃料の酸化反応による生じる熱によって、ＤＯＣ５１を通過する排ガスを昇温し、ＤＰＦ５２の入口温度を昇温する機能を有している。
【００４３】
ＤＰＦ５２は、ハニカム状に多数の通気孔を有するとともに、外形が円筒形状又は直方体状に成形して構成されている。ＤＰＦ５２は、多数の通気孔のうち、互いに隣り合う通気孔が入口側と出口側で交互に閉じられて排ガスがろ過壁（フィルタ）を通過するように構成されている。このため、排ガスは、ＤＰＦ５２のろ過壁を通過する際にＰＭが除去される。なお、ＤＰＦ５２は、内側表面に酸化触媒を担持していてもよい。
【００４４】
排ガス浄化装置５に送られた排ガスは、ＤＯＣ５１において排ガス中に含まれる未燃燃料（ＨＣ）や一酸化炭素（ＣＯ）が除去され、ＤＰＦ５２において排ガス中に含まれるＰＭが除去された後に、エンジン１の外部に排出される。
ＤＰＦ５２で除去されたＰＭは、エンジン運転中に燃焼室１２から排出される高温の排ガスによって一部が燃焼するが（連続再生）、残りのＰＭは、ＤＰＦ５２のろ過壁に蓄積していく。このため、制御装置３は、ＤＰＦ５２のろ過壁に蓄積するＰＭを強制的に燃焼させて、ろ過壁を再生させる強制再生処理ＦＲＰを実行する必要がある。
【００４５】
図示される実施形態では、図１に示されるように、排気流路１５は、エンジン本体１１の排出口とＤＯＣ５１の上流側とを接続する第１排気管１５１と、ＤＯＣ５１の下流側とＤＰＦ５２の上流側とを接続する第２排気管１５２と、ＤＰＦ５２の下流側に接続されるとともに排ガスを排出するための出口開口を有する第３排気管１５３と、を含んでいる。上述した排気スロットルバルブ２２は、第１排気管１５１に配置されている。
【００４６】
第１排気管１５１には、図１に示されるように、燃焼室１２から排出される排ガスの圧力として、排気スロットルバルブ２２の近傍の圧力を検出する排圧センサ８１と、燃焼室１２から排出される排ガスの温度として、ＤＯＣ５１の入口温度を検出するＤＯＣ入口温度センサ８２と、が配置されている。第２排気管１５２には、図１に示されるように、ＤＰＦ５２の入口温度を検出するＤＰＦ入口温度センサ８３が配置されている。第３排気管１５３には、図１に示されるように、ＤＰＦ５２の出口温度を検出するＤＰＦ出口温度センサ８４が配置されている。ＤＰＦ５２には、ＤＰＦ入口圧力センサ８５、ＤＰＦ出口圧力センサ８６及びＤＰＦ差圧センサ８７が配置されている。これらのセンサ類で測定された排ガスの圧力、ＤＯＣ５１の入口温度、ＤＰＦ５２の入口温度、ＤＰＦ５２の出口温度及びＤＰＦ５２の差圧などに関する信号が入出力部３１（図２参照）を介して制御装置３に入力される。
【００４７】
また、図示される実施形態では、図１に示されるように、吸気流路１４は、吸気マニホールド１４１と、吸気マニホールドの上流側に接続される第１吸気管１４２と、吸気マニホールド１４１の下流側とエンジン本体１１の供給口とを接続する第２吸気管１４３と、を含んでいる。上述した吸気スロットルバルブ２１は、第１吸気管１４２に配置されている。
【００４８】
図示される実施形態では、制御装置３は、エンジン１を制御するためのＥＣＵ装置（電子制御ユニット）である。他の実施形態では、制御装置３は、ＥＣＵ装置の備える機能（プログラムや回路）の一つとして実装されていてもよい。また、上記ＥＣＵ装置とは別に、プロセッサを備える他の電子制御ユニットとして制御装置３を構成しても良い。制御装置３は、中央処理装置（ＣＰＵ）、ランダムアクセスメモリ（ＲＡＭ）、リードオンリメモリ（ＲＯＭ）、及びＩ／Ｏインターフェイスなどからなるマイクロコンピュータとして構成されていてもよい。また、制御装置３は、上述したセンタ類で測定された信号に基づく制御を、燃料噴射弁１３、吸気スロットルバルブ２１および排気スロットルバルブ２２などに対して実行可能に構成されている。
【００４９】
図２は、本発明の第１の実施形態にかかる制御装置の一例を示すブロック図である。
上述した昇温手段６は、図２に示されるように、燃料噴射弁１３および排気スロットルバルブ２２を含んでいる。なお、図２に示されるように、昇温手段６は、吸気スロットルバルブ２１又は後述する排気流路噴射弁１６の少なくとも一方をさらに含んでいてもよい。
【００５０】
制御装置３は、昇温手段６によりＤＰＦ５２を昇温することでＤＰＦ５２に堆積するＰＭを除去する上述した強制再生処理ＦＲＰを実行可能に構成されている。なお、制御装置３は、強制再生処理ＦＲＰの実行中だけでなく、通常運転中においても昇温手段６を制御可能に構成されている。
【００５１】
強制再生処理ＦＲＰには、所定の強制再生処理実施条件を満たすことで制御装置３により自動的に実施される自動再生処理と、手動操作により実施される手動再生処理と、が含まれる。また、強制再生処理ＦＲＰ（自動再生処理）は、第１昇温処理ＦＨＰと、第１昇温処理ＦＨＰよりも後に実行される第２昇温処理ＳＨＰと、を含む。上記所定の強制再生処理実施条件には、ＤＰＦ５２のろ過壁に蓄積されたＰＭの堆積量の推定値が規定値を超える場合、エンジン本体１１の運転時間が規定時間を超える場合、及び、燃料噴射弁１３の燃料噴射量の累計値が規定値を超える場合などが挙げられる。図示される実施形態では、ＰＭ堆積量は、ＤＰＦ５２の上流と下流とにおける差圧をＤＰＦ差圧センサ８７により検出することで推定することができる。
【００５２】
図示される実施形態では、制御装置３は、図２に示されるように、上述した入出力部３１と、記憶部３２と、燃料噴射弁１３による噴射の実行を制御するための噴射制御部３３と、スロットルバルブ２（吸気スロットルバルブ２１、排気スロットルバルブ２２）の絞りを制御するためのスロットルバルブ開度指示部３４と、強制再生処理実施要件判定部３５と、ＤＰＦ強制再生処理実行部３６と、バルブ開閉動作実行部３７と、を備えている。
【００５３】
図３Ａは、第１制御マップのデータフロー図である。
噴射制御部３３は、燃料噴射弁１３より噴射される未燃燃料の噴射タイミングおよび未燃燃料の噴射量を制御可能に構成されている。図示される実施形態では、図３Ａに示されるように、エンジン回転数および燃焼室１２の供給空気量を入力値とし、未燃燃料の噴射タイミングおよび未燃燃料の噴射量を出力値とする第１制御マップ３２１が記憶部３２（図２参照）に予め記憶されている。なお、エンジン回転数には、例えばエンジン本体１１に接続される不図示のシャフト（回転軸部材）の回転数を検出する不図示の回転数センサから取得される計測値が用いられる。また、燃焼室１２の供給空気量には、例えば吸気流路１４に設けられる不図示のエアフロメーターから取得される計測値から算出される算出値が用いられる。
【００５４】
図示される実施形態では、図３Ａに示されるように、第１制御マップ３２１は、通常運転時の噴射方式に対応する第１制御マップ３２１Ａと、第１昇温処理ＦＨＰ時の噴射方式に対応する第１制御マップ３２１Ｂと、第２昇温処理ＳＨＰ時の噴射方式に対応する第１制御マップ３２１Ｃと、を含む複数枚の制御マップからなる。第１制御マップ３２１Ａ〜３２１Ｃの夫々は、入力値に対応する出力値が他の第１制御マップ３２１とは異なっている。噴射制御部３３は、通常運転時、第１昇温処理ＦＨＰ時および第２昇温処理ＳＨＰ時などの制御状況に対応する第１制御マップ３２１Ａ〜３２１Ｃに基づいて、エンジン回転数および燃焼室１２の供給空気量から取得される未燃燃料の噴射タイミングおよび未燃燃料の噴射量を燃料噴射弁１３に指示する。
【００５５】
図３Ｂは、第２制御マップのデータフロー図である。
スロットルバルブ開度指示部３４は、スロットルバルブ２（吸気スロットルバルブ２１および排気スロットルバルブ２２）の開度を制御可能に構成されている。図示される実施形態では、図３Ｂに示されるように、エンジンの運転状況に関する情報７を入力値とし、時間毎のスロットルバルブ２の指示開度Ｉ（フィードフォワード開度ＦＦ）を出力値とする第２制御マップ３２２が記憶部３２（図２参照）に予め記憶されている。第２制御マップ３２２は、吸気スロットルバルブ２１および排気スロットルバルブ２２の夫々に個別に対応する複数枚の制御マップからなる。また、第２制御マップ３２２は、通常運転時の指示開度Ｉに対応する第２制御マップ３２２Ａと、第１昇温処理ＦＨＰ時の指示開度Ｉに対応する第２制御マップ３２２Ｂと、第２昇温処理ＳＨＰ時の指示開度Ｉに対応する第２制御マップ３２２Ｃと、を含む複数枚の制御マップからなる。第２制御マップ３２２Ａ〜３２２Ｃの夫々は、入力値に対応する出力値が他の第２制御マップ３２２とは異なっている。
【００５６】
スロットルバルブ開度指示部３４は、個々のスロットルバルブに対応し、且つ、通常運転時、第１昇温処理ＦＨＰ時および第２昇温処理ＳＨＰ時などの制御状況に対応する第２制御マップ３２２Ａ〜３２２Ｃに基づいて、エンジンの運転状況に関する情報７から取得されるフィードフォワード開度ＦＦをスロットルバルブ２の指示開度Ｉとしてスロットルバルブ２に指示する。なお、図３Ｂに示される実施形態では、エンジンの運転状況に関する情報７は、エンジン回転数および未燃燃料の噴射量を含んでいる。
【００５７】
図４は、本発明の第１の実施形態にかかるエンジンの制御方法のフロー図である。図５は、自動再生処理中のＤＰＦ入出口温度およびＤＯＣ入出口温度の温度変化を示したグラフである。図６は、排気スロットルバルブによるバルブ開閉動作を説明するためのグラフであって、経過時間と排気スロットルバルブの開度との関係を示すグラフである。図７は、アーリーポスト噴射とレイトポスト噴射を説明するための図である。
【００５８】
以下、図４〜７に基づいて、幾つかの実施形態にかかるエンジンの制御方法１００（１００Ａ）および上述した制御装置３の構成について説明する。ここで、エンジンの制御方法１００（１００Ａ）は、上述した強制再生処理ＦＲＰを実行する上述したエンジン１を制御するための方法である。
図示される実施形態では、エンジンの制御方法１００（１００Ａ）は、図４に示されるように、ステップＳ１０１〜Ｓ１０８を備えている。
【００５９】
ステップ１０１では、上述した強制再生処理実施要件を満たすか否かを判定する。強制再生処理実施要件を満たさない場合には（Ｓ１０１で「Ｎｏ」）、強制再生処理ＦＲＰ（自動再生処理）を行わない。上述した制御装置３では、強制再生処理実施要件判定部３５がステップ１０１における判定を行う。つまり、強制再生処理実施要件判定部３５は、上述した強制再生処理実施要件を満たすか否かを判定可能に構成されている。図示される実施形態では、強制再生処理実施要件判定部３５は、ＰＭの堆積量の推定値が規定値を超える場合、エンジン本体１１の運転時間が規定時間を超える場合、又は、燃料噴射弁１３の燃料噴射量の累計値が規定値を超える場合、の少なくとも何れか一つを満たすときに強制再生処理実施要件を満たすと判定する。
【００６０】
強制再生処理実施要件を満たす場合には（Ｓ１０１で「Ｙｅｓ」）、第１昇温処理ＦＨＰ（強制再生処理ＦＲＰ）が実行される（Ｓ１０２）。上述した制御装置３では、ＤＰＦ強制再生処理実行部３６が強制再生処理ＦＲＰを実行する。つまり、ＤＰＦ強制再生処理実行部３６は、強制再生処理実施要件を満たしたときに強制再生処理ＦＲＰ（自動再生処理）を実行するように構成されている。ＤＰＦ強制再生処理実行部３６は、噴射制御部３３およびスロットルバルブ開度指示部３４に対して、ＤＰＦ強制再生処理ＦＲＰ時に対応する制御を実行するように指示するように構成されている。
【００６１】
図示される実施形態では、ＤＰＦ強制再生処理実行部３６は、第１昇温処理実行部３６Ａと、第２昇温処理実行部３６Ｂと、を含んでいる。そして、第１昇温処理ＦＨＰ時において、噴射制御部３３およびスロットルバルブ開度指示部３４の夫々は、第１昇温処理実行部３６Ａに指示されて、第１昇温処理ＦＨＰ時における制御マップ（第１制御マップ３２１Ｂ、第２制御マップ３２２Ｂ）に対応する制御を実行する。また、第２昇温処理ＳＨＰ時において、噴射制御部３３およびスロットルバルブ開度指示部３４の夫々は、第２昇温処理実行部３６Ｂに指示されて、第２昇温処理ＳＨＰ時における制御マップ（第１制御マップ３２１Ｃ、第２制御マップ３２２Ｃ）に対応する制御を実行する。
【００６２】
第１昇温処理実行部３６Ａは、図５に示されるように、ＤＯＣ５１の入口温度が、ＤＯＣ５１が活性化する活性化温度（例えば、２５０℃）である第１温度Ｔ１まで昇温するように昇温手段６を制御する第１昇温処理ＦＨＰを実行可能に構成されている。図示される実施形態では、図６に示されるように、排気スロットルバルブ２２を昇温手段６とし、排気スロットルバルブ２２の指示開度Ｉを通常運転時における全開状態（１００％）から第１開度Ｏ１まで絞り、排気流路１５の排気スロットルバルブ２２よりも下流側を流れる排ガスの流量を少なくすることでＤＯＣ５１の入口温度を上昇させている。
【００６３】
なお、他の実施形態では、燃料噴射弁１３を昇温手段６とし、上述したアーリーポスト噴射でエンジン１の出力には影響を与えずに燃焼室１２から排出される排ガスの温度を上昇させることで、燃焼室１２よりも排ガスの流れ方向に下流側に位置するＤＯＣ５１の入口温度を上昇させてもよい。また、燃料を噴射するコモンレール圧を制御するコモンレール圧制御手段（不図示）を昇温手段６とし、コモンレール圧を制御することで実行しても良い。また、排気スロットルバルブ２２、燃料噴射弁１３、コモンレール圧制御手段（不図示）のうちの２つ以上を昇温手段６としてＤＯＣ５１の入口温度を上昇させてもよい。ここで、アーリーポスト噴射は、図７に示されるように、燃焼室１２に燃料を噴射する工程において、メイン燃料を噴射した直後の燃焼室１２内の圧力がまだ高い状態でメイン噴射より少量の燃料を噴射する１回目のポスト噴射である。アーリーポスト噴射では、後述するレイトポスト噴射とは異なり、メイン噴射よりも後、且つ、燃焼室１２における燃焼に寄与するタイミングで燃料が噴射される。
【００６４】
第１昇温処理ＦＨＰの完了条件を満たさない場合（Ｓ１０１で「Ｎｏ」）、すなわち、ＤＯＣ５１の入口温度が第１温度Ｔ１に満たない場合には、完了条件を満たすまで第１昇温処理ＦＨＰが実行される。また、第１昇温処理ＦＨＰの完了条件を満たす場合（Ｓ１０１で「Ｙｅｓ」）、すなわち、ＤＯＣ５１の入口温度が第１温度Ｔ１を超えた場合には、第１昇温処理ＦＨＰを完了する（Ｓ１０４）。
【００６５】
図４に示されるように、第１昇温処理ＦＨＰの完了後には、第２昇温処理ＳＨＰが実行される（Ｓ１０６）。ＤＰＦ強制再生処理実行部３６は、第１昇温処理実行部３６Ａにより実行される第１昇温処理ＦＨＰから、第２昇温処理実行部３６Ｂにより実行される第２昇温処理ＳＨＰに切り換え可能に構成されている。
【００６６】
第２昇温処理実行部３６Ｂは、図５に示されるように、第１昇温処理ＦＨＰの完了後に、ＤＰＦ５２が第１温度Ｔ１よりも高い第２温度Ｔ２まで昇温するように昇温手段６を制御する第２昇温処理ＳＨＰを実行可能に構成されている。図示される実施形態では、図６に示されるように、排気スロットルバルブ２２を昇温手段６とし、排気スロットルバルブ２２の指示開度Ｉを第１開度Ｏ１から第２開度Ｏ２まで開き、排気流路１５の排気スロットルバルブ２２よりも下流側を流れる排ガスの流量を増やしている。また、図示される実施形態では、燃料噴射弁１３をさらに昇温手段６とする。第２昇温処理ＳＨＰ中に、上述した噴射制御部３３は、燃料噴射弁１３に対してレイトポスト噴射を指示する。該レイトポスト噴射により、燃焼室１２から排気流路１５へ未燃燃料を流出させ、排出された未燃燃料がＤＯＣ５１に流入して酸化発熱することで、ＤＰＦ５２の入口温度を第２温度Ｔ２まで昇温している。また、第２温度Ｔ２までＤＰＦ５２を昇温することで、ＤＰＦ５２に堆積したＰＭを燃焼させることができる。なお、他の実施形態では、第２昇温処理ＳＨＰ中に、上述した噴射制御部３３は、燃料噴射弁１３に対してアーリーポスト噴射およびレイトポスト噴射を指示する。
【００６７】
ここで、レイトポスト噴射は、アーリーポスト噴射の後の燃焼室１２内の燃焼に寄与しないタイミング（下死点近傍）で燃料を噴射する２回目のポスト噴射である。図７の例示では、エンジン本体１１に設けられるピストンが上死点（ＴＤＣ）から下死点（ＢＤＣ）に移動する間において、上死点を過ぎたところでメイン燃料噴射がなされ、その後にアーリーポスト噴射がなされている。そして、アーリーポスト噴射後であって、ピストンが上死点（ＴＤＣ）側から下死点（ＢＤＣ）に到達する前に、レイトポスト噴射がなされている。
【００６８】
第２昇温処理ＳＨＰの完了条件を満たさない場合（Ｓ１０７で「Ｎｏ」）、すなわち、ＤＰＦ５２の入口温度が所定期間だけ第２温度Ｔ２まで昇温されていない場合には、完了条件を満たすまで第２昇温処理ＳＨＰが実行される。また、第２昇温処理ＳＨＰの完了条件を満たす場合（Ｓ１０７で「Ｙｅｓ」）、すなわち、ＤＰＦ５２の入口温度が所定期間だけ第２温度Ｔ２まで昇温されている（昇温が維持されている）場合には、第２昇温処理ＳＨＰを完了する（Ｓ１０８）。なお、ＤＰＦ強制再生処理実行部３６は、レイトポスト噴射を所定時間以上かつＰＭ堆積量が閾値以下となった場合に第２昇温処理ＳＨＰを完了してもよい。
【００６９】
なお、燃料噴射弁１３のレイトポスト噴射に変えて、またはこれと併せて排気流路１５に配置された排気流路噴射弁１６（図１参照）から未燃燃料を噴射させてもよい。この場合には、噴射制御部３３は、燃料噴射弁１３だけでなく、排気流路噴射弁１６による未燃燃料の噴射の実行を制御してもよい。つまり、噴射制御部３３は、排気流路噴射弁１６より噴出される未燃燃料の噴射タイミングおよび未燃燃料の噴射量を制御可能に構成されている。また、記憶部３２に、燃料噴射弁１３に対応する第１制御マップ３２１と同様に、排気流路噴射弁１６に対応する制御マップを予め記憶しておいてもよい。
【００７０】
図４、６に示されるように、第１昇温処理ＦＨＰから第２昇温処理ＳＨＰに切り換えるときに、排気スロットルバルブ２２は、排気スロットルバルブ２２の開度を所定開度（指示開度Ｉ）よりも所定時間Ｔだけ大きくするバルブ開閉動作ＶＯを実行する（Ｓ１０５）。上述した制御装置３では、バルブ開閉動作実行部３７がバルブ開閉動作ＶＯを排気スロットルバルブ２２に実行させる。つまり、バルブ開閉動作実行部３７は、第１昇温処理ＦＨＰから第２昇温処理ＳＨＰに切り換えるときに、排気スロットルバルブ２２の開度を所定開度（指示開度Ｉ）よりも所定時間Ｔだけ大きくするバルブ開閉動作ＶＯを排気スロットルバルブ２２に実行させるように構成されている。図示される実施形態では、所定時間Ｔは１秒以下である。
【００７１】
バルブ開閉動作実行部３７は、排気スロットルバルブ２２の開度を制御可能に構成されている。より具体的には、バルブ開閉動作実行部３７は、上述したスロットルバルブ開度指示部３４が排気スロットルバルブ２２に対して指示する指示開度Ｉとは異なる指示開度である第２指示開度Ｈを排気スロットルバルブ２２に対して指示するように構成されている。ここで、第２指示開度Ｈの最大開度Ｈ１は、強制再生処理ＦＲＰの実行中における指示開度Ｉの最大開度よりも大きい開度になっている。
【００７２】
バルブ開閉動作ＶＯの実行中においては、図６に示されるように、バルブ開閉動作実行部３７による排気スロットルバルブ２２の第２指示開度Ｈが、スロットルバルブ開度指示部３４による排気スロットルバルブ２２の指示開度Ｉよりも優先的に実施される。バルブ開閉動作ＶＯの実行中、すなわち、バルブ開閉動作ＶＯの開始時からバルブ開閉動作ＶＯを終了するまでの期間において、図６中実線で示されるように、制御装置３は排気スロットルバルブ２２に第２指示開度Ｈを指示するようになっている。ここで、バルブ開閉動作ＶＯを開始するときの指示開度Ｉと、バルブ開閉動作ＶＯを終了するときの指示開度Ｉは、互いに等しい開度であってもよいし、異なる開度であってもよい。
【００７３】
上述した強制再生処理ＦＲＰは、ＤＯＣ５１が第１温度Ｔ１まで昇温するように昇温手段６を制御する第１昇温処理ＦＨＰと、第１昇温処理ＦＨＰの完了後にＤＰＦ５２が第１温度Ｔ１よりも高い第２温度Ｔ２まで昇温するように昇温を制御する第２昇温処理ＳＨＰと、を含んでいる。そして、昇温手段６は、排気流路１５に設けられた排気スロットルバルブ２２を含んでいる。つまり、強制再生処理ＦＲＰ中は、排気スロットルバルブ２２の開度を絞る（小さくする）制御が行われている。ここで、第２昇温処理ＳＨＰでは、第１昇温処理ＦＨＰにおける昇温温度である第１温度Ｔ１よりも高い第２温度Ｔ２まで昇温することが行われる。このため、第２昇温処理ＳＨＰ中は、第１昇温処理ＦＨＰ中に比べて、排気スロットルバルブ２２の固着による作動不良により、排気スロットルバルブ２２の実開度が制御装置３の指示する指示開度Ｉよりも小さくなった際に、エンジン本体１１（エンジン）の排気流路１５における排ガスの温度および圧力の異常上昇を招く可能性が高くなる。
【００７４】
幾つかの実施形態にかかる制御装置３は、第１昇温処理ＦＨＰから第２昇温処理ＳＨＰに切り換えるときに、排気スロットルバルブ２２の開度を所定開度（指示開度Ｉ）よりも所定時間Ｔだけ大きくするバルブ開閉動作ＶＯを排気スロットルバルブ２２に実行させるように構成されている上述したバルブ開閉動作実行部３７を備えている。
【００７５】
上記の構成によれば、制御装置３は、第１昇温処理ＦＨＰから第２昇温処理にＳＨＰ切り換えるときに、排気スロットルバルブ２２の開度を所定開度（指示開度Ｉ）よりも所定時間Ｔだけ大きくするバルブ開閉動作ＶＯを排気スロットルバルブ２２に実行させる。排気スロットルバルブ２２は、上記バルブ開閉動作ＶＯを実行することで、排気スロットルバルブ２２に堆積したＰＭおよび未燃燃料を、排気流路１５の排気スロットルバルブ２２よりも下流側に流すことができる。排気スロットルバルブ２２に堆積したＰＭおよび未燃燃料を削減することで、第２昇温処理ＳＨＰ中における排気スロットルバルブ２２の固着による作動不良を防止することができる。つまり、排気スロットルバルブ２２の実開度が、制御装置３の指示する指示開度Ｉよりも小さくなることを防止することができる。このため、排気スロットルバルブ２２の実開度が制御装置３の指示する指示開度Ｉと等しくなるので、第２昇温処理ＳＨＰ中における、排気流路１５の排気スロットルバルブ２２よりも下流側を流れる排ガスの流量を適切な量にすることができる。よって、上記の構成によれば、排気スロットルバルブ２２の開度を絞る制御中に、エンジン本体１１（エンジン）の排気流路１５における排ガスの温度および圧力の異常上昇を防止することができ、ひいてはエンジン本体１１（エンジン）の故障およびＤＯＣ５１の酸化触媒の熱劣化を防止することができる。
【００７６】
幾つかの実施形態では、上述したバルブ開閉動作実行部３７は、バルブ開閉動作ＶＯの実行時における排気スロットルバルブ２２を開く速度又は閉じる速度の少なくとも一方が所定速度以下、すなわち図６中における排気スロットルバルブ２２の第２指示開度Ｈの傾きが所定角度以下、になるように排気スロットルバルブ２２に指示するように構成されている。ここで、バルブ開閉動作ＶＯの実行時における排気スロットルバルブ２２を開く速度および閉じる速度が所定速度を超過する場合には、排気流路１５の排気スロットルバルブ２２よりも下流側を流れる排ガスの量が急激に増減するので、気流音（騒音）が発生する可能性が高い。上記の構成によれば、バルブ開閉動作ＶＯの実行時における排気スロットルバルブ２２を開く速度又は閉じる速度の少なくとも一方が所定速度以下になるので、気流音の発生を抑制することができる。
【００７７】
幾つかの実施形態では、図６に示されるように、上述したバルブ開閉動作実行部３７は、バルブ開閉動作ＶＯの実行時における排気スロットルバルブ２２の開度として、全開よりも小さい開度を、排気スロットルバルブ２２に指示するように構成されている。バルブ開閉動作ＶＯの実行時における排気スロットルバルブ２２の開度を全開とすると、排気流路１５の排気スロットルバルブ２２よりも下流側を流れる排ガスの量が急激に触れるので、排ガス浄化装置５により浄化されていない排ガスが大気中に放出される虞がある。上記の構成によれば、バルブ開閉動作ＶＯの実行時における排気スロットルバルブ２２の開度を全開よりも小さい開度とすることで、排ガス浄化装置５により浄化されていない排ガスが大気中に放出されるのを抑制することができる。
【００７８】
幾つかの実施形態では、図６に示されるように、バルブ開閉動作ＶＯの実行時における排気スロットルバルブ２２の最大開度をＨ１とした際に、上記Ｈ１は４０％以上８０％以下である。好ましくは、上記Ｈ１は５０％以上７０％以下である。この場合には、排気スロットルバルブ２２の固着による作動不良を防止することができ、且つ、排ガス浄化装置５により浄化されていない排ガスが大気中に放出されるのを抑制することができる。
【００７９】
他の幾つかの実施形態では、強制再生処理ＦＲＰ中における排気スロットルバルブ２２の最大開度をＯｍａｘとした際に、上記Ｈ１は、２×Ｏｍａｘ＜Ｈ１＜８×Ｏｍａｘの条件を満たす。より好ましくは、上記Ｈ１は、２．５×Ｏｍａｘ＜Ｈ１＜７×Ｏｍａｘの条件を満たす。この場合には、排気スロットルバルブ２２の固着による作動不良を防止することができ、且つ、排ガス浄化装置５により浄化されていない排ガスが大気中に放出されるのを抑制することができる。
【００８０】
幾つかの実施形態では、上述したバルブ開閉動作実行部３７は、第２昇温処理ＳＨＰにおけるレイトポスト噴射よりも前に、バルブ開閉動作ＶＯを排気スロットルバルブ２２に実行させるように構成されている。レイトポスト噴射の実行中は、開度が小さくなった排気スロットルバルブ２２を未燃燃料が通過するので、排気スロットルバルブ２２の固着による作動不良が起こり易い。上記の構成によれば、第２昇温処理ＳＨＰにおけるレイトポスト噴射よりも前に、バルブ開閉動作ＶＯを実行して排気スロットルバルブ２２に堆積したＰＭおよび未燃燃料を削減することで、レイトポスト噴射中における排気スロットルバルブ２２の固着による作動不良を防止することができる。
【００８１】
幾つかの実施形態にかかるエンジンの制御方法１００（１００Ａ）は、図４に示されるような、上述した第１昇温処理ＦＨＰから上述した第２昇温処理ＳＨＰに切り換えるときに、排気スロットルバルブ２２の開度を所定開度（指示開度Ｉ）よりも所定時間Ｔだけ大きくするバルブ開閉動作ＶＯを実行するステップＳ１０５を備えている。
【００８２】
上記の方法によれば、エンジンの制御方法１００（１００Ａ）は、第１昇温処理ＦＨＰから第２昇温処理ＳＨＰに切り換えるときに、排気スロットルバルブ２２の開度を所定開度（指示開度Ｉ）よりも所定時間Ｔだけ大きくするバルブ開閉動作ＶＯを実行するステップＳ１０５を備えている。排気スロットルバルブ２２は、バルブ開閉動作ＶＯを実行することで、排気スロットルバルブ２２に堆積したＰＭおよび未燃燃料を、排気流路１５の排気スロットルバルブ２２よりも下流側に流すことができる。排気スロットルバルブ２２に堆積したＰＭおよび未燃燃料を削減することで、第２昇温処理ＳＨＰ中における排気スロットルバルブ２２の固着による作動不良を防止することができる。つまり、排気スロットルバルブ２２の実開度が、制御装置３の指示する指示開度Ｉよりも小さくなることを防止することができる。このため、排気スロットルバルブ２２の実開度が制御装置３の指示する指示開度Ｉと等しくなるので、第２昇温処理ＳＨＰ中における、排気流路１５の排気スロットルバルブ２２よりも下流側を流れる排ガスの流量を適切な量にすることができる。よって、上記の方法によれば、排気スロットルバルブ２２の開度を絞る制御中に、エンジン本体１１（エンジン）の排気流路１５における排ガスの温度および圧力の異常上昇を防止することができ、ひいてはエンジン本体１１（エンジン）の故障およびＤＯＣ５１の酸化触媒の熱劣化を防止することができる。
【００８３】
幾つかの実施形態では、図１に示されるように、上述したエンジン１は、第１排気管１５１と第１吸気管１４２との間に設けられるターボチャージャ１７をさらに備えている。図示される実施形態では、ターボチャージャ１７は、図１に示されるように、第１排気管１５１の排気スロットルバルブ２２およびＤＯＣ５１よりも上流側に配置された排気タービン１７１と、第１吸気管１４２に配置されたコンプレッサ１７２と、を有している。
【００８４】
排気タービン１７１は、エンジン本体１１から排出された排ガスにより回転駆動される。排気タービン１７１の回転駆動に同期してコンプレッサ１７２が回転駆動することで、コンプレッサ１７２内の空気（燃焼用気体）が圧縮される。コンプレッサ１７２により圧縮された空気（燃焼用気体）は、吸気スロットルバルブ２１を通過した後に、燃焼室１２に流入する。この際、吸気スロットルバルブ２１を絞ることで、燃焼室１２に流入する空気（燃焼用気体）の流量が制限される。排気タービン１７１を駆動させた排ガスは、図１に示されるように、排気スロットルバルブ２２を通過した後に、排ガス浄化装置５に流入する。この際、排気スロットルバルブ２２を絞ることで、排ガス浄化装置５に流入する排ガスの流量が制限される。なお、他の実施形態では、排気スロットルバルブ２２は、第１排気管１５１の排気タービン１７１よりも上流側に配置されていてもよい。
【００８５】
幾つかの実施形態では、図１に示されるように、上述したエンジン１は、燃焼室１２から排出された排ガスの一部をＥＧＲガスとして、燃焼室１２よりも上流側に還流させるＥＧＲ装置１８をさらに備えている。ＥＧＲ装置１８は、吸気流路１４および排気流路１５に連結されるＥＧＲ管１８１と、ＥＧＲ管１８１に設けられるＥＧＲバルブ１８２と、を含んでいる。図示される実施形態では、ＥＧＲ管１８１は、排気流路１５の排気スロットルバルブ２２およびターボチャージャ１７よりも上流側に一端が接続され、排気流路１５から分岐している。また、ＥＧＲ管１８１は、吸気流路１４の吸気スロットルバルブ２１よりも下流側に位置する吸気マニホールド１４１に他端が接続されている。ＥＧＲバルブ１８２は、制御装置３のスロットルバルブ開度指示部３４により開度が制御されることで、ＥＧＲ管１８１を流れるＥＧＲガスの流量を制御するようになっている。
【００８６】
以下、本発明の第２の実施形態にかかる制御装置、およびエンジンの制御方法について説明する。第２の実施形態にかかる制御装置、およびエンジンの制御方法は、第１の実施形態にかかる制御装置、およびエンジンの制御方法と比べて、排気スロットルバルブ２２の指示開度Ｉを決定する手段および方法が異なる。なお、第２の実施形態にかかる制御装置、およびエンジンの制御方法は、第１の実施形態にかかる制御装置、およびエンジンの制御方法と組み合わせてもよく、単独で用いてもよい。
【００８７】
図示される実施形態では、上述したエンジン１は、上述した制御装置３と、上述した排ガス浄化装置５と、上述したエンジン本体１１と、上述した吸気流路１４と、上述した排気流路１５と、上述した排気スロットルバルブ２２を含むスロットルバルブ２と、を主に備えている。
【００８８】
図８は、本発明の第２の実施形態にかかる制御装置の一例を示すブロック図である。図９は、制御装置における排気スロットルバルブの指示開度の決定方法を説明するためのデータフロー図である。
図示される実施形態では、上述した制御装置３は、図８に示されるように、フィードフォワード開度取得部３８と、フィードバック開度取得部３９と、指示開度決定部４０と、をさらに備えている。
【００８９】
フィードフォワード開度取得部３８は、図９に示されるように、第１実施形態における上述したスロットルバルブ開度指示部３４と同様に、エンジンの運転状況に関する情報７に基づいて、排気スロットルバルブ２２の開度であるフィードフォワード開度ＦＦを取得可能に構成されている。図示される実施形態では、図９に示されるように、フィードフォワード開度取得部３８は、排気スロットルバルブ２２に対応し、且つ、通常運転時、第１昇温処理ＦＨＰ時および第２昇温処理ＳＨＰ時などの制御状況に対応する第２制御マップ３２２Ａ〜３２２Ｃに基づいて、エンジンの運転状況に関する情報７からフィードフォワード開度ＦＦを取得可能に構成されている。
【００９０】
フィードバック開度取得部３９は、図９に示されるように、予め設定された目標温度ＴＴと、排気流路１５を流れる排ガスの温度を検出可能な排ガス温度検出装置８により取得した検出温度ＤＴと、の差分（温度差ΔＴ）に基づいて、排気スロットルバルブ２２の開度であるフィードバック開度ＦＢを取得可能に構成されている。図示される実施形態では、排ガス温度検出装置８は、上述したＤＯＣ５１の入口温度を検出するＤＯＣ入口温度センサ８２からなる。他の実施形態では、排ガス温度検出装置８は、第１排気管１５１に設けられる温度センサであってもよい。
【００９１】
また、図示される実施形態では、図９に示されるように、上記温度差ΔＴを入力値とし、制御ゲインを出力値とする第３制御マップ３２３が記憶部３２（図８参照）に予め記憶されている。第３制御マップ３２３は、通常運転時の制御ゲインに対応する第３制御マップ３２３Ａと、第１昇温処理ＦＨＰ時の制御ゲインに対応する第３制御マップ３２３Ｂと、第２昇温処理ＳＨＰ時の制御ゲインに対応する第３制御マップ３２３Ｃと、を含む複数枚の制御マップからなる。第３制御マップ３２３Ａ〜３２３Ｃの夫々は、入力値に対応する出力値が他の第３制御マップ３２３とは異なっている。フィードバック開度取得部３９は、通常運転時、第１昇温処理ＦＨＰ時および第２昇温処理ＳＨＰ時などの制御状況に対応する第３制御マップ３２３Ａ〜３２３Ｃに基づいて、温度差ΔＴから制御ゲインを取得可能に構成されている。該制御ゲインは、比例ゲイン、積分ゲインおよび微分ゲインを含んでいる。
【００９２】
図示される実施形態では、フィードバック開度取得部３９の演算部３９０は、上記第３制御マップ３２３から取得した制御ゲインから、公知のＰＩＤ制御演算を用いて、フィードバック開度ＦＢを算出する。より具体的には、演算部３９０は、目標温度ＴＴと検出温度ＤＴとが一致するように、比例項と積分項と微分項との和で表される制御量を算出し、上記制御量に基づいて、フィードバック開度ＦＢを算出する。なお、他の実施形態では、公知のＰ制御演算又はＰＩ制御演算を用いて、フィードバック開度ＦＢを算出してもよい。
【００９３】
指示開度決定部４０は、フィードフォワード開度取得部３８で取得したフィードフォワード開度ＦＦ、およびフィードバック開度取得部３９で取得したフィードバック開度ＦＢのうちの、開度が大きい方を排気スロットルバルブ２２に指示するための指示開度Ｉとするように構成されている。指示開度決定部４０で決定された指示開度Ｉは、スロットルバルブ開度指示部３４を介して、排気スロットルバルブ２２に指示される。つまり、排気スロットルバルブ２２は、制御装置３により指示開度決定部４０で決定された指示開度Ｉに応じた開度に制御される。
【００９４】
幾つかの実施形態では、上述した制御装置３は、エンジンの運転状況に関する情報７に基づいて、排気スロットルバルブ２２の開度であるフィードフォワード開度ＦＦを取得可能に構成されているフィードフォワード開度取得部３８と、予め設定された目標温度ＴＴと、排気流路１５を流れる排ガスの温度を検出可能な排ガス温度検出装置８により取得した検出温度ＤＴとの差分、に基づいて、排気スロットルバルブ２２の開度であるフィードバック開度ＦＢを取得可能に構成されているフィードバック開度取得部３９と、フィードフォワード開度取得部３８で取得したフィードフォワード開度ＦＦ、およびフィードバック開度取得部３９で取得したフィードバック開度ＦＢのうちの、開度が大きい方を排気スロットルバルブ２２に指示するための指示開度Ｉとする指示開度決定部４０と、をさらに備えている。
【００９５】
排気スロットルバルブ２２の開度を絞る制御中においては、エンジン本体１１（エンジン）から排出された排ガス中に含まれるＰＭ（粒子状物質）および未燃燃料（ＨＣ）などによる排気スロットルバルブ２２の固着による作動不良や応答性の低下、又は燃焼室内に残留する残留燃料の異常燃焼などの外乱により排気流路１５を流れる排ガスが想定以上に高温になる虞がある。
よって、エンジンの運転状況に関する情報７に基づいて取得されるフィードフォワード開度ＦＦのみを排気スロットルバルブ２２の指示開度Ｉにすると、上記外乱により排気流路１５を流れる排ガスが目標温度ＴＴを超えた高温になった際に、高温状態が改善されずにエンジン本体１１の故障およびＤＯＣ５１の酸化触媒の熱劣化を招く虞がある。
【００９６】
上述したフィードバック開度取得部３９は、予め設定された目標温度ＴＴと排気流路１５を流れる排ガスの検出温度ＤＴとの差分に基づいてフィードバック開度ＦＢを取得する。ここで、フィードバック開度ＦＢのみを排気スロットルバルブ２２の指示開度Ｉにすると、目標温度ＴＴと検出温度ＤＴとの差を少なくする制御が行われるが、検出温度ＤＴを上昇させるために排気スロットルバルブ２２の開度を小さくし過ぎて、エンジンの燃焼室１２に供給される空気量および燃焼室１２から排出される排ガス量が不足する虞がある。
【００９７】
上記の構成によれば、後述する図１２に示されるように、フィードフォワード開度ＦＦおよびフィードバック開度ＦＢのうちの、開度が大きい方を排気スロットルバルブ２２の指示開度Ｉとすることで、エンジンの燃焼室１２に供給される空気量および燃焼室１２から排出される排ガス量が不足することを防止することができ、且つ、排気流路１５を流れる排ガスが目標温度ＴＴを超える高温になることを抑制することができる。よって、上記の構成によれば、排気スロットルバルブ２２の開度を絞る制御中に、エンジンの排気流路１５における排ガスの温度および圧力の異常上昇を防止することができ、ひいてはエンジン本体１１の故障およびＤＯＣ５１の酸化触媒の熱劣化を防止することができる。
【００９８】
図１０は、本発明の第２の実施形態にかかるエンジンの制御方法の一例を示すフロー図である。図１１は、本発明の第２の実施形態にかかるエンジンの制御方法の他の一例を示すフロー図である。図１２は、本発明の第２の実施形態における排気スロットルバルブの開度を説明するための線図である。
【００９９】
以下、図１０〜１２に基づいて、幾つかの実施形態にかかるエンジンの制御方法１００（１００Ｂ、１００Ｃ）および上述した制御装置３の構成について説明する。ここで、エンジンの制御方法１００（１００Ｂ、１００Ｃ）は、上述した強制再生処理ＦＲＰを実行する上述したエンジン１を制御するための方法である。なお、エンジンの制御方法１００（１００Ｂ、１００Ｃ）は、例えばエンジンの暖機運転時などの、上述した強制再生処理ＦＲＰ時以外にも適用可能である。
【０１００】
幾つかの実施形態では、エンジンの制御方法１００（１００Ｂ、１００Ｃ）は、図１０、１１に示されるように、エンジンの運転状況に関する情報７に基づいて、排気スロットルバルブ２２の開度であるフィードフォワード開度ＦＦを取得するフィードフォワード開度取得ステップＳ２０２と、目標温度ＴＴと検出温度ＤＴとの差分に基づいて、排気スロットルバルブ２２の開度であるフィードバック開度ＦＢを取得するフィードバック開度取得ステップＳ２０４と、フィードフォワード開度取得ステップＳ２０２で取得したフィードフォワード開度ＦＦ、およびフィードバック開度取得ステップＳ２０４で取得したフィードバック開度ＦＢのうちの、開度が大きい方を排気スロットルバルブ２２に指示するための指示開度Ｉとする指示開度決定ステップと、を備えている。図示される実施形態では、エンジンの制御方法１００（１００Ｂ、１００Ｃ）は、図１０、１１に示されるように、フィードフォワード開度取得ステップＳ２０２よりも前に、エンジンの運転状況に関する情報７を取得するステップＳ２０１と、フィードバック開度取得ステップＳ２０４よりも前に、排気流路１５を流れる排ガスの温度を検出可能な排ガス温度検出装置８により検出温度ＤＴを取得するステップＳ２０３と、をさらに備えている。
【０１０１】
図１０に示される実施形態では、上述した指示開度決定ステップは、ステップＳ２０５〜Ｓ２０７を含んでいる。ステップＳ２０５ではフィードフォワード開度ＦＦがフィードバック開度ＦＢよりも大きいか否かを判定する。フィードフォワード開度ＦＦがフィードバック開度ＦＢよりも大きい場合には（Ｓ２０５で「Ｙｅｓ」）、フィードフォワード開度ＦＦを指示開度Ｉとし（Ｓ２０６）、フィードフォワード開度ＦＦがフィードバック開度ＦＢ以下の場合には（Ｓ２０５で「Ｎｏ」）、フィードバック開度ＦＢを指示開度Ｉとする（Ｓ２０７）。
図１１に示される実施形態では、上述した指示開度決定ステップは、ステップＳ３０２、Ｓ３０３、Ｓ３０５、Ｓ３０６を含んでいる。
【０１０２】
上記の方法によれば、図１２に示されるように、エンジンの制御方法１００（１００Ｂ、１００Ｃ）は、エンジンの運転状況に関する情報７に基づいて取得されるフィードフォワード開度ＦＦ、および予め設定された目標温度ＴＴと排気流路１５を流れる排ガスの検出温度ＤＴとの差分に基づいて取得されるフィードバック開度ＦＢのうちの、開度が大きい方を排気スロットルバルブ２２の指示開度Ｉとすることで、エンジンの燃焼室１２に供給される空気量および燃焼室１２から排出される排ガス量が不足することを防止することができ、且つ、排気流路１５を流れる排ガスが目標温度ＴＴを超える高温になることを抑制することができる。よって、上記の方法によれば、排気スロットルバルブ２２の開度を絞る制御中に、エンジンの排気流路１５における排ガスの温度および圧力の異常上昇を防止することができ、ひいてはエンジン本体１１の故障およびＤＯＣ５１の酸化触媒の熱劣化を防止することができる。
【０１０３】
エンジンの制御方法１００（１００Ｃ）では、フィードフォワード開度取得ステップＳ２０２およびフィードバック開度取得ステップＳ２０４よりも後に、検出温度ＤＴが目標温度ＴＴよりも高温であるか否かを判定する（Ｓ３０１）。
【０１０４】
検出温度ＤＴが目標温度ＴＴよりも高温である場合には（Ｓ３０１で「Ｙｅｓ」）、フィードバック開度ＦＢがフィードフォワード開度ＦＦよりも大きいか否かを判定する（Ｓ３０２）。フィードバック開度ＦＢがフィードフォワード開度ＦＦよりも大きい場合には（Ｓ３０２で「Ｙｅｓ」）、フィードバック開度ＦＢを指示開度Ｉとする（Ｓ３０３）。
【０１０５】
フィードバック開度ＦＢがフィードフォワード開度ＦＦ以下の場合には（Ｓ３０２で「Ｎｏ」）、制御ゲインの調整後に（Ｓ３０４）、再度フィードバック開度取得ステップＳ２０４が実行される。Ｓ３０４では、後のステップであるフィードバック開度取得ステップＳ２０４において再度算出されるフィードバック開度ＦＢが、フィードフォワード開度ＦＦよりも大きくなるように制御ゲインを調整する。このため、再度算出されるフィードバック開度ＦＢが指示開度Ｉとなる（Ｓ３０３）。
【０１０６】
一方、検出温度ＤＴが目標温度ＴＴ以下の低温である場合には（Ｓ３０１で「Ｎｏ」）、フィードフォワード開度ＦＦがフィードバック開度ＦＢよりも大きいか否かを判定する（Ｓ３０５）。フィードフォワード開度ＦＦがフィードバック開度ＦＢよりも大きい場合には（Ｓ３０５で「Ｙｅｓ」）、フィードフォワード開度ＦＦを指示開度Ｉとする（Ｓ３０６）。
【０１０７】
フィードフォワード開度ＦＦがフィードバック開度ＦＢ以下の場合には（Ｓ３０５で「Ｎｏ」）、制御ゲインの調整後に（Ｓ３０７）、再度フィードバック開度取得ステップＳ２０４が実行される。Ｓ３０７では、後のステップであるフィードバック開度取得ステップＳ２０４において再度算出されるフィードバック開度ＦＢが、フィードフォワード開度ＦＦよりも小さくなるように制御ゲインを調整する。このため、再度算出されるフィードバック開度ＦＢよりも小さいフィードフォワード開度ＦＦが指示開度Ｉとなる（Ｓ３０６）。
【０１０８】
上述した制御装置３は、図８に示されるように、フィードバック開度ＦＢを算出する際の制御ゲインを調整可能に構成されている制御ゲイン調整部４１をさらに備えている。図示される実施形態では、上述したステップＳ３０４、Ｓ３０７は、制御ゲイン調整部４１が実行する。また、上述したステップＳ３０１〜Ｓ３０３、Ｓ３０５、Ｓ３０６は、指示開度決定部４０が実行する。
【０１０９】
幾つかの実施形態では、上述した制御装置３は、フィードバック開度ＦＢを算出する際の制御ゲインを調整可能に構成されている上述した制御ゲイン調整部４１を備えている。そして、上述した制御ゲイン調整部４１は、検出温度ＤＴが目標温度ＴＴを超過し、且つ、フィードバック開度ＦＢがフィードフォワード開度ＦＦ以下の場合において、再度算出されたフィードバック開度ＦＢがフィードフォワード開度ＦＦよりも大きくなるように制御ゲインを調整するように構成されている。
【０１１０】
上記の構成によれば、検出温度ＤＴが目標温度ＴＴを超過した場合には、フィードバック開度ＦＢを排気スロットルバルブ２２の指示開度Ｉとするようになっている。この際に、フィードバック開度ＦＢがフィードフォワード開度ＦＦ以下の場合には、再度算出されたフィードバック開度ＦＢがフィードフォワード開度ＦＦよりも大きくなるように、制御ゲイン調整部４１が制御ゲインを調整する。上記の構成によれば、検出温度ＤＴが目標温度ＴＴを超過した場合に、上記再度算出されたフィードバック開度ＦＢを排気スロットルバルブ２２の指示開度Ｉとして開度の制御が行われる。このため、検出温度ＤＴが目標温度ＴＴに近づくように、排気スロットルバルブ２２の開度を大きくし、排気流路１５を流れる排ガスの温度および圧力が下げる制御が迅速に行われるので、排気流路１５を流れる排ガスが目標温度ＴＴを超える高温になる期間を少なくすることができる。
【０１１１】
幾つかの実施形態では、上述した制御装置３は、フィードバック開度ＦＢを算出する際の制御ゲインを調整可能に構成されている上述した制御ゲイン調整部４１を備えている。そして、上述した制御ゲイン調整部４１は、検出温度ＤＴが目標温度ＴＴ以下、且つ、フィードフォワード開度ＦＦがフィードバック開度ＦＢ以下の場合において、再度算出されたフィードバック開度ＦＢがフィードフォワード開度ＦＦよりも小さくなるように制御ゲインを調整するように構成されている。
【０１１２】
上記の構成によれば、検出温度ＤＴが目標温度ＴＴ以下の場合には、フィードフォワード開度ＦＦを排気スロットルバルブ２２の指示開度Ｉとするようになっている。この際に、フィードフォワード開度ＦＦがフィードバック開度ＦＢ以下の場合には、再度算出されたフィードバック開度ＦＢがフィードフォワード開度ＦＦよりも小さくなるように、制御ゲイン調整部４１が制御ゲインを調整する。上記の構成によれば、検出温度ＤＴが目標温度ＴＴ以下の場合に、フィードフォワード開度ＦＦを排気スロットルバルブ２２の指示開度Ｉとして開度の制御が行われる。このため、エンジンの運転状況に関する情報７に基づいて排気スロットルバルブ２２の開度が制御されるので、エンジンの燃焼室１２に供給される空気量および燃焼室１２から排出される排ガス量が不足することを防止することができる。
【０１１３】
幾つかの実施形態では、上述したエンジンの運転状況に関する情報７は、図９に示されるように、エンジンの回転数および燃料噴射量を含んでいる。この場合には、エンジンの運転状況に関する情報７は、エンジンの回転数および燃料噴射量を含んでいるので、フィードフォワード開度取得部３８は、エンジンの回転数および燃料噴射量を反映した適切なフィードフォワード開度ＦＦを取得することができる。
【０１１４】
上述した幾つかの実施形態において、排ガス浄化システム１０は、上述した制御装置３と、上述したＤＯＣ５１と、上述したＤＰＦ５２と、上述した排気スロットルバルブ２２を含む昇温手段６と、を備えている。この場合には、排ガス浄化システム１０は、第１昇温処理ＦＨＰから第２昇温処理ＳＨＰに切り換えるときに、制御装置３がバルブ開閉動作ＶＯを排気スロットルバルブ２２に実行させることで、第２昇温処理ＳＨＰ中における排気スロットルバルブ２２の固着による作動不良を防止することができる。
【０１１５】
本発明は上述した実施形態に限定されることはなく、上述した実施形態に変形を加えた形態や、これらの形態を適宜組み合わせた形態も含む。
【符号の説明】
【０１１６】
１          エンジン
１０          排ガス浄化システム
１１          エンジン本体
１２          燃焼室
１３          燃料噴射弁
１４          吸気流路
１５          排気流路
１６          排気流路噴射弁
１７          ターボチャージャ
１８          ＥＧＲ装置
２          スロットルバルブ
２１          吸気スロットルバルブ
２２          排気スロットルバルブ
３          制御装置
３１          入出力部
３２          記憶部
３３          噴射制御部
３４          スロットルバルブ開度指示部
３５          強制再生処理実施要件判定部
３６          強制再生処理実行部
３６Ａ        第１昇温処理実行部
３６Ｂ        第２昇温処理実行部
３７          バルブ開閉動作実行部
３８          フィードフォワード開度取得部
３９          フィードバック開度取得部
４０          指示開度決定部
４１          制御ゲイン調整部
５          排ガス浄化装置
５１          ＤＯＣ
５２          ＤＰＦ
６          昇温手段
７          エンジンの運転状況に関する情報
８          排ガス温度検出装置
１００，１００Ａ〜１００Ｃ  エンジンの制御方法
ＤＴ        検出温度
ＦＢ        フィードバック開度
ＦＦ        フィードフォワード開度
ＦＨＰ      第１昇温処理
ＦＲＰ      強制再生処理
Ｈ          第２指示開度
Ｉ          指示開度
ＳＨＰ      第２昇温処理
Ｔ          所定時間
Ｔ１        第１温度
Ｔ２        第２温度
ＴＴ        目標温度
ＶＯ        バルブ開閉動作
【図１】
2020041461.tif 000003
【図２】
2020041461.tif 000004
【図３Ａ】
2020041461.tif 000005
【図３Ｂ】
2020041461.tif 000006
【図４】
2020041461.tif 000007
【図５】
2020041461.tif 000008
【図６】
2020041461.tif 000009
【図７】
2020041461.tif 000010
【図８】
2020041461.tif 000011
【図９】
2020041461.tif 000012
【図１０】
2020041461.tif 000013
【図１１】
2020041461.tif 000014
【図１２】
2020041461.tif 000015